(57)【要約】【課題】放射線変換器の状態を常時確認することができ、不適切な放射線画像を撮影してしまうことを事前に回避することのできる放射線変換器を提供することを目的とする。【解決手段】電子カセッテ２８の制御部５２は、バッテリ５０の充電状態、欠陥画素の位置、使用回数、累積曝射線量等の状態情報を取得し、これらを表示部５５に表示させる。技師は、表示された状態情報に従い、当該電子カセッテ２８が使用可能状態にあるか否かを判断し、使用可能であると判断された電子カセッテ２８を用いて放射線画像の撮影を行う。【選択図】図４
2009180519.tif 000002
【特許請求の範囲】
【請求項１】
被写体を透過した放射線を検出して画像情報に変換する放射線変換器において、
当該放射線変換器の状態情報を取得する情報取得部と、
取得した前記状態情報を記憶する情報記憶部と、
記憶された前記状態情報を表示する表示部と、
を備えることを特徴とする放射線変換器。
【請求項２】
請求項１記載の放射線変換器において、
前記状態情報は、放射線を画像情報に変換する複数の放射線変換画素の欠陥の位置を示す情報であることを特徴とする放射線変換器。
【請求項３】
請求項１記載の放射線変換器において、
前記状態情報は、当該放射線変換器の使用回数に係る情報であることを特徴とする放射線変換器。
【請求項４】
請求項１記載の放射線変換器において、
前記状態情報は、当該放射線変換器に対する放射線の累積曝射線量に係る情報であることを特徴とする放射線変換器。
【請求項５】
請求項１記載の放射線変換器において、
前記状態情報は、当該放射線変換器の充電状態を示す情報であることを特徴とする放射線変換器。
【請求項６】
請求項１〜５のいずれか１項に記載の放射線変換器において、
前記情報取得部は、前記状態情報を当該放射線変換器の外部から取得することを特徴とする放射線変換器。
【請求項７】
請求項１〜５のいずれか１項に記載の放射線変換器において、
当該放射線変換器は、バッテリが搭載された可搬型に構成されることを特徴とする放射線変換器。
【発明の詳細な説明】
【技術分野】
【０００１】
本発明は、被写体を透過した放射線を検出して画像情報に変換する放射線変換器に関する。
【背景技術】
【０００２】
医療分野において、被写体に放射線を照射し、被写体を透過した放射線を放射線変換器に導いて放射線画像を撮影する放射線画像撮影装置が広汎に使用されている。
【０００３】
この場合、照射された放射線を直接電気信号に変換し、あるいは、放射線をシンチレータで可視光に変換した後、電気信号に変換して読み出すことのできるアモルファスシリコン等からなる多数の放射線変換画素をマトリックス状に配列して構成される放射線変換器（電子カセッテ）が開発されている（特許文献１参照）。なお、この放射線変換器には、バッテリを搭載し、持ち運び可能に構成された可搬型のものがある。
【０００４】
ところで、前記放射線変換器を構成する放射線変換画素は、多数回に渡って放射線が照射されると、各画素の特性が変化して、放射線を適切な電気信号に変換できない、いわゆる、画素欠陥の生じるおそれがある。このような状態で放射線変換器を使用すると、所望の放射線画像を得ることができなくなってしまう。
【０００５】
そこで、各放射線変換画素から得られる画像データに基づき、画素欠陥の位置や欠陥数を示す欠陥情報を収集し、必要に応じて警告をするようにした技術がある（特許文献２参照）。
【０００６】
【特許文献１】特開２００６−２０８３０６号公報
【特許文献２】特開２０００−１３２６６２号公報
【発明の開示】
【発明が解決しようとする課題】
【０００７】
しかしながら、特許文献２の場合、欠陥情報の収集及び警告等の処理は、放射線変換器が接続されているコントローラで行っており、放射線変換器自体にそのような機能を搭載させたものではない。そのため、例えば、バッテリにより駆動される可搬型の放射線変換器のように、コントローラから分離された状態で使用されるものにおいては、放射線変換器が欠陥を有しているのか否か、といった状態を放射線変換器自体で確認することができない。従って、欠陥を有した放射線変換器を使用して不適切な放射線画像を撮影してしまうおそれがある。
【０００８】
本発明は、前記の課題に鑑みなされたものであり、放射線変換器の状態を常時確認することができ、不適切な放射線画像を撮影してしまうことを事前に回避することのできる放射線変換器を提供することを目的とする。
【課題を解決するための手段】
【０００９】
本発明の放射線変換器は、被写体を透過した放射線を検出して画像情報に変換する放射線変換器において、
当該放射線変換器の状態情報を取得する情報取得部と、
取得した前記状態情報を記憶する情報記憶部と、
記憶された前記状態情報を表示する表示部と、
を備えることを特徴とする。
【発明の効果】
【００１０】
本発明によれば、放射線変換器の表示部に当該放射線変換器の状態情報を表示させることにより、放射線変換器自体で欠陥の有無や使用状況等を確認することができる。従って、不適切な状態の放射線変換器を使用して放射線画像の撮影を行ってしまうという事態を事前に回避することができる。
【発明を実施するための最良の形態】
【００１１】
図１は、本発明の放射線変換器が適用される放射線画像撮影システム２０の説明図である。放射線画像撮影システム２０は、撮影条件に従った線量からなる放射線Ｘを患者２２（被写体）に照射する放射線源２４と、放射線源２４を制御する線源制御装置２６と、患者２２を透過した放射線Ｘを放射線画像情報に変換する電子カセッテ２８（放射線変換器）と、電子カセッテ２８の充電処理、患者情報及び撮影条件の表示処理、及び、電子カセッテ２８により検出した放射線Ｘに基づく画像情報の送受信処理を行うクレードル３０と、放射線源２４の撮影スイッチを有し、撮影作業を含む状態確認のために技師が所持する携帯情報端末３２と、線源制御装置２６、クレードル３０及び携帯情報端末３２を制御するとともに、必要な情報の送受信を行うコンソール３４とを備える。
【００１２】
なお、患者情報とは、患者２２の氏名、性別、患者ＩＤ番号等、患者２２を特定するための情報である。撮影条件とは、患者２２の撮影部位に対して、適切な線量からなる放射線Ｘを照射するための管電圧、管電流、照射時間等を決定するための条件であり、例えば、撮影部位、撮影方法等の条件を挙げることができる。患者情報及び撮影条件は、コンソール３４から取得することができる。
【００１３】
放射線源２４、線源制御装置２６及びクレードル３０は、撮影室３６内に配置され、コンソール３４は、撮影室３６外の操作室３８に配置される。また、線源制御装置２６と携帯情報端末３２、携帯情報端末３２とコンソール３４との間では、無線通信による必要な情報の送受信が行われる。
【００１４】
図２は、電子カセッテ２８の内部構成図である。電子カセッテ２８は、放射線Ｘを透過させる材料からなるケーシング４０を備える。ケーシング４０の内部には、放射線Ｘが照射される照射面側から、患者２２による放射線Ｘの散乱線を除去するグリッド４２、患者２２を透過した放射線Ｘを検出する放射線変換パネル４４、及び、放射線Ｘのバック散乱線を吸収する鉛板４６が順に配設される。
【００１５】
ケーシング４０の内部には、電子カセッテ２８の電源であるバッテリ５０と、バッテリ５０から供給される電力により放射線変換パネル４４を駆動制御する制御部５２と、放射線変換パネル４４によって放射線Ｘから電気信号に変換された情報を含む信号をクレードル３０に無線送信する送受信部５４とが収容される。なお、制御部５２及び送受信部５４には、放射線Ｘが照射されることによる損傷を回避するため、ケーシング４０の照射面側に鉛板等を配設しておくことが好ましい。
【００１６】
また、バッテリ５０、制御部５２及び送受信部５４が配設される部位に対応するケーシング４０の表面には、当該電子カセッテ２８に撮影される患者２２の患者情報や撮影条件を表示するとともに、当該電子カセッテ２８の使用回数、累積曝射線量、バッテリ５０の充電状態等の状態情報を表示する表示部５５が配設される。
【００１７】
図３は、放射線変換パネル４４を含む電子カセッテ２８の回路構成ブロック図である。放射線変換パネル４４は、放射線Ｘを感知して電荷を発生させるアモルファスセレン（ａ−Ｓｅ）等の物質からなる光電変換層５６を行列状の薄膜トランジスタ（ＴＦＴ：Ｔｈｉｎ  Ｆｉｌｍ  Ｔｒａｎｓｉｓｔｏｒ）５８のアレイの上に配置した構造を有し、発生した電荷を蓄積容量６０に蓄積した後、各行毎にＴＦＴ５８を順次オンにして、電荷を画像信号として読み出す。図３では、光電変換層５６及び蓄積容量６０からなる１つの画素６２と１つのＴＦＴ５８との接続関係のみを示し、その他の画素６２の構成については省略している。なお、アモルファスセレンは、高温になると構造が変化して機能が低下してしまうため、所定の温度範囲内で使用する必要がある。従って、電子カセッテ２８内に放射線変換パネル４４を冷却する手段を配設することが好ましい。
【００１８】
各画素６２に接続されるＴＦＴ５８には、行方向と平行に延びるゲート線６４と、列方向と平行に延びる信号線６６とが接続される。各ゲート線６４は、ライン走査駆動部６８に接続され、各信号線６６は、読取回路を構成するマルチプレクサ７６に接続される。
【００１９】
ゲート線６４には、行方向に配列されたＴＦＴ５８をオンオフ制御する制御信号Ｖｏｎ、Ｖｏｆｆがライン走査駆動部６８から供給される。この場合、ライン走査駆動部６８は、ゲート線６４を切り替える複数のスイッチＳＷ１と、スイッチＳＷ１の１つを選択する選択信号を出力するアドレスデコーダ７０とを備える。アドレスデコーダ７０には、制御部５２からアドレス信号が供給される。
【００２０】
また、信号線６６には、列方向に配列されたＴＦＴ５８を介して各画素６２の蓄積容量６０に保持されている電荷が流出する。この電荷は、増幅器７２によって増幅される。増幅器７２には、サンプルホールド回路７４を介してマルチプレクサ７６が接続される。マルチプレクサ７６は、信号線６６を切り替える複数のスイッチＳＷ２と、スイッチＳＷ２の１つを選択する選択信号を出力するアドレスデコーダ７８とを備える。アドレスデコーダ７８には、制御部５２からアドレス信号が供給される。マルチプレクサ７６には、Ａ／Ｄ変換器８０が接続され、Ａ／Ｄ変換器８０によってデジタル信号に変換された放射線画像情報が制御部５２に供給される。
【００２１】
図４は、放射線画像撮影システム２０の構成ブロック図である。
【００２２】
電子カセッテ２８の制御部５２には、放射線変換パネル４４と、放射線変換パネル４４によって検出された放射線画像情報を記憶する画像メモリ５１と、電子カセッテ２８の固有の情報であるカセッテ情報を記憶するカセッテ情報メモリ５３（情報記憶部）と、カセッテ情報を表示する表示部５５と、送受信部５４と、電子カセッテ２８に電力を供給するバッテリ５０とが接続される。
【００２３】
ここで、カセッテ情報とは、例えば、当該電子カセッテ２８に対して放射線画像情報を記録した回数である使用回数、電子カセッテ２８に曝射された放射線Ｘの累積曝射線量、放射線変換パネル４４を構成する各画素６２から得られる放射線画像情報に基づいて検出した欠陥情報、バッテリ５０の充電状態等の状態情報、画像メモリ５１に記憶される放射線画像情報に関連する患者情報を挙げることができる。状態情報は、制御部５２（情報取得部）で作成し、あるいは、クレードル３０又はコンソール３４で作成して送受信部５４（情報取得部）から取り込むことができる。
【００２４】
クレードル３０の制御部９０には、装填された電子カセッテ２８のバッテリ５０の充電処理を行う充電処理部９２と、電子カセッテ２８から取得したカセッテ情報を記憶するカセッテ情報メモリ９１と、コンソール３４から取得した患者情報及び撮影条件を記憶する患者情報メモリ９３及び撮影条件メモリ１０１と、電子カセッテ２８に患者情報や撮影条件を書き込む一方、電子カセッテ２８から放射線画像情報を読み出す情報読み書き処理部９５と、読み出された放射線画像情報を記憶する画像メモリ９７と、患者情報、撮影条件及び取得した放射線画像情報を含む必要な情報を表示する表示部９６と、必要な情報を技師等に報知するためのスピーカ９８と、電子カセッテ２８及びコンソール３４との間で情報の送受信を行う送受信部９４とが接続される。なお、送受信部９４は、電子カセッテ２８と無線通信による信号の送受信を行う。また、電子カセッテ２８のバッテリ５０に対する充電処理は、送受信部９４を介した非接触状態、あるいは、クレードル３０に装填された電子カセッテ２８の図示しないコネクタを介した接触状態で行うことができる。
【００２５】
携帯情報端末３２の制御部１００は、放射線源２４を駆動する撮影スイッチ１０２によって生成された撮影信号を送受信部１０４を介して線源制御装置２６に供給する。また、制御部１００は、送受信部１０４を介してコンソール３４から受信した患者情報、撮影条件等を表示部１０６に表示するとともに、必要な情報をスピーカ１０８を鳴動させることで技師等に報知する処理を行う。なお、携帯情報端末３２は、必要な情報を設定することのできる操作部１１０を有する。
【００２６】
コンソール３４は、制御部１１２と、線源制御装置２６、クレードル３０及び携帯情報端末３２に対して、必要な情報を無線通信により送受信する送受信部１１４と、患者情報を設定する患者情報設定部１１６と、線源制御装置２６による撮影に必要な撮影条件を設定する撮影条件設定部１１８と、クレードル３０を介して電子カセッテ２８から供給された放射線画像情報に対する画像処理を行う画像処理部１２０と、処理した放射線画像情報を記憶する画像メモリ１２２と、放射線画像情報及びその他必要な情報を表示する表示部１２４と、必要な情報を技師等に報知するためのスピーカ１２６とを備える。
【００２７】
コンソール３４には、病院内の放射線科において取り扱われる放射線画像情報やその他の情報を統括的に管理する放射線科情報システム（ＲＩＳ）８２が接続され、また、ＲＩＳ８２には、病院内の医事情報を統括的に管理する医事情報システム（ＨＩＳ）８４が接続される。患者情報及び撮影条件を含む撮影のオーダリング情報は、コンソール３４で直接設定し、あるいは、ＲＩＳ８２を介してコンソール３４に外部から供給することができる。
【００２８】
本実施形態の放射線画像撮影システム２０は、基本的には以上のように構成されるものであり、次にその動作について説明する。
【００２９】
患者２２の放射線画像を撮影する際、コンソール３４の患者情報設定部１１６を用いて当該患者２２の患者情報を設定するとともに、撮影条件設定部１１８を用いて必要な撮影条件を設定する。なお、これらの情報は、送受信部１１４を介して上流のＲＩＳ８２、ＨＩＳ８４から取得してもよい。設定された患者情報及び撮影条件は、表示部１２４に表示して確認することができる。
【００３０】
次に、設定された患者情報及び撮影条件は、送受信部１１４から撮影室３６内に配置されているクレードル３０に送信され、制御部９０によってクレードル３０の表示部９６に表示される。この場合、技師は、表示部９６に表示された患者情報に従い、撮影を行う患者２２の氏名等を確認する。この確認処理により、患者の取り違い等の事故を未然に回避することができる。また、技師は、表示された撮影条件に従い、撮影部位、撮影方法等の確認を行うことができる。
【００３１】
一方、クレードル３０には、撮影に供せられる電子カセッテ２８が装填され、充電処理部９２によってバッテリ５０の充電処理が行われている。情報読み書き処理部９５は、送受信部９４を介して電子カセッテ２８に撮影対象となる患者２２に係る患者情報、撮影条件を送信する。電子カセッテ２８の制御部５２は、送信された患者情報、撮影条件をカセッテ情報メモリ５３に記憶させるとともに、表示部５５に表示させる。なお、表示部５５には、後述するように、当該電子カセッテ２８の状態情報も表示される。
【００３２】
また、患者情報及び撮影条件は、コンソール３４の送受信部１１４から無線通信により技師が所持する携帯情報端末３２に送信され、その表示部１０６に表示される。この場合、技師は、携帯情報端末３２の表示部１０６に表示された患者情報及び撮影条件を確認して、所望の撮影準備を行うことができる。
【００３３】
さらに、撮影条件は、線源制御装置２６に送信される。線源制御装置２６は、送信された撮影条件である管電圧、管電流、照射時間を放射線源２４に設定し、撮影準備を行う。
【００３４】
技師は、クレードル３０の表示部９６、又は、電子カセッテ２８の表示部５５に表示された患者情報及び電子カセッテ２８の状態情報を確認し、充電処理が完了し、且つ、使用可能であることを示す状態情報が表示された電子カセッテ２８をクレードル３０から取り出し、指定された撮影条件に従い、患者２２の所望の撮影部位に電子カセッテ２８を設定する。この場合、技師は、電子カセッテ２８の表示部５５の表示に従い、当該電子カセッテ２８を適切な患者２２まで確実に運び、所望の撮影部位に当該電子カセッテ２８を設定することができる。
【００３５】
患者２２に対して電子カセッテ２８が適切な状態に設定された後、技師は、携帯情報端末３２の撮影スイッチ１０２を操作し、放射線画像の撮影を行う。撮影スイッチ１０２が操作されると、携帯情報端末３２の制御部１００は、送受信部１０４を介して撮影開始信号を線源制御装置２６に送信する。撮影開始信号を受信した線源制御装置２６は、予めコンソール３４から供給されている撮影条件に従って放射線源２４を制御し、放射線Ｘを患者２２に照射する。
【００３６】
患者２２を透過した放射線Ｘは、電子カセッテ２８のグリッド４２によって散乱線が除去された後、放射線変換パネル４４に照射され、放射線変換パネル４４を構成する各画素６２の光電変換層５６によって電気信号に変換され、蓄積容量６０に電荷として保持される（図３参照）。次いで、各蓄積容量６０に保持された患者２２の放射線画像情報である電荷情報は、制御部５２からライン走査駆動部６８及びマルチプレクサ７６に供給されるアドレス信号に従って読み出される。
【００３７】
すなわち、ライン走査駆動部６８のアドレスデコーダ７０は、制御部５２から供給されるアドレス信号に従って選択信号を出力してスイッチＳＷ１の１つを選択し、対応するゲート線６４に接続されたＴＦＴ５８のゲートに制御信号Ｖｏｎを供給する。一方、マルチプレクサ７６のアドレスデコーダ７８は、制御部５２から供給されるアドレス信号に従って選択信号を出力してスイッチＳＷ２を順次切り替え、ライン走査駆動部６８によって選択されたゲート線６４に接続された各画素６２の蓄積容量６０に保持された電荷情報である放射線画像情報を信号線６６を介して順次読み出す。
【００３８】
放射線変換パネル４４の選択されたゲート線６４に接続された各画素６２の蓄積容量６０から読み出された放射線画像情報は、各増幅器７２によって増幅された後、各サンプルホールド回路７４によってサンプリングされ、マルチプレクサ７６を介してＡ／Ｄ変換器８０に供給され、デジタル信号に変換される。デジタル信号に変換された放射線画像情報は、制御部５２に接続された画像メモリ５１に一旦記憶される。
【００３９】
同様にして、ライン走査駆動部６８のアドレスデコーダ７０は、制御部５２から供給されるアドレス信号に従ってスイッチＳＷ１を順次切り替え、各ゲート線６４に接続されている各画素６２の蓄積容量６０に保持された電荷情報である放射線画像情報を信号線６６を介して読み出し、マルチプレクサ７６及びＡ／Ｄ変換器８０を介して制御部５２に接続された画像メモリ５１に一旦記憶される。
【００４０】
また、電子カセッテ２８の制御部５２は、撮影が完了した時点において、当該電子カセッテ２８の使用回数、すなわち、放射線Ｘを曝射した回数をカウントし、カセッテ情報としてカセッテ情報メモリ５３に記録する。また、制御部５２は、画像メモリ５１に記憶された放射線画像情報に基づき、使用開始から今回の撮影までの放射線Ｘの累積曝射線量を、放射線変換パネル４４の各画素６２毎、あるいは、各画素６２の累積曝射線量の平均値として算出し、カセッテ情報メモリ５３に記録する。
【００４１】
さらに、制御部５２は、画像メモリ５１に記憶された放射線画像情報に基づき、例えば、隣接する画素６２間の放射線画像情報を比較することにより、欠陥画素の有無、欠陥の程度、欠陥の位置等に係る欠陥情報を算出し、カセッテ情報メモリ５３に記録する。なお、欠陥画素を検出する方法としては、例えば、暗画像（暗電流）を用いる方法、患者２２を配置しない状態で所定量の放射線Ｘを電子カセッテ２８に一様に照射（露光）して得られる放射線画像情報を用いる方法、その他、各種の放射線画像撮影装置で実行されている欠陥画素の検出方法を利用することができる（特願２００７−８４７９７号［００２６］参照）。
【００４２】
撮影が完了し、患者２２の放射線画像情報が記録された電子カセッテ２８は、撮影室３６内に配置されているクレードル３０に装填され、充電処理部９２によりバッテリ５０の充電処理が行われるとともに、情報読み書き処理部９５により放射線画像情報及びカセッテ情報の読み出し処理が行われる。
【００４３】
すなわち、クレードル３０の情報読み書き処理部９５は、電子カセッテ２８の画像メモリ５１に記憶された放射線画像情報を読み出して画像メモリ９７に記憶させるとともに、電子カセッテ２８のカセッテ情報メモリ５３に記憶されたカセッテ情報を読み出してカセッテ情報メモリ９１及び患者情報メモリ９３に記憶させる。これらの情報は、制御部９０によって表示部９６に表示される。例えば、画像メモリ９７から読み出された放射線画像情報をプレビュー画像として表示部９６に表示するとともに、カセッテ情報メモリ５３から読み出された患者情報を表示部９６に表示することにより、所望の患者２２に対して適切な撮影が行われたか否かを撮影室３６内において確認することができる。また、カセッテ情報メモリ５３から読み出された当該電子カセッテ２８の欠陥の位置、使用回数、累積曝射線量、放射線変換パネル４４の欠陥情報等を表示部９６に表示することにより、電子カセッテ２８が適切な使用状態にあるか否かを確認することができる。
【００４４】
また、クレードル３０に装填された電子カセッテ２８の表示部５５には、電子カセッテ２８のカセッテ情報メモリ５３から読み出された当該電子カセッテ２８の状態情報、すなわち、電子カセッテ２８の欠陥の位置、使用回数、累積曝射線量、バッテリ５０の充電状態等の状態情報が表示される。技師は、表示されたこれらの状態情報に基づき、当該電子カセッテ２８が使用可能なものであるか否かを確実に判断することができる。従って、不適切な電子カセッテ２８を選択して放射線画像を撮影してしまう事態を未然に回避することができる。また、電子カセッテ２８上の欠陥の位置を撮影前の段階で目視で判定できるため、例えば、欠陥が密集している領域を撮影領域から外して撮影を行うことにより、劣化が進んだ電子カセッテ２８であっても、診断に支障を来すことのない放射線画像を取得することができる。
【００４５】
一方、クレードル３０の画像メモリ９７に記憶された放射線画像情報は、患者情報メモリ９３に記憶された患者情報とともに、送受信部９４を介してコンソール３４に送信される。コンソール３４では、画像処理部１２０により放射線画像情報に対する画像処理が施された後、患者情報と関連付けられた状態で画像メモリ１２２に記憶される。次いで、画像メモリ１２２に記憶された放射線画像情報は、表示部１２４に表示されることで、画像の最終確認を行うことができる。
【００４６】
コンソール３４に送信された放射線画像情報は、必要に応じて圧縮処理が施された後、送受信部１１４から技師が所持する携帯情報端末３２に送信され、プレビュー画像として表示部１０６に表示させるようにしてもよい。また、放射画像情報は、クレードル３０又は電子カセッテ２８から直接携帯情報端末３２に送信するように構成することも可能である。
【００４７】
なお、本発明は、上述した実施形態に限定されるものではなく、本発明の主旨を逸脱しない範囲で自由に変更できることは勿論である。
【００４８】
例えば、電子カセッテ２８に収容される放射線変換パネル４４は、入射した放射線Ｘの線量を光電変換層５６によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線変換パネルを用いてもよい（特許第３４９４６８３号公報参照）。
【００４９】
また、光変換方式の放射線変換パネルを利用して放射線画像情報を取得することもできる。この光変換方式の放射線変換パネルでは、マトリクス状に配列された各固体検出素子に放射線が入射すると、その線量に応じた静電潜像が固体検出素子に蓄積記録される。静電潜像を読み取る際には、放射線変換パネルに読取光を照射し、発生した電流の値を放射線画像情報として取得する。なお、放射線変換パネルは、消去光を放射線変換パネルに照射することで、残存する静電潜像である放射線画像情報を消去して再使用することができる（特開２０００−１０５２９７号公報参照）。
【図面の簡単な説明】
【００５０】
【図１】本実施形態に係る放射線画像撮影システムの説明図である。
【図２】電子カセッテの内部構成図である。
【図３】電子カセッテを構成する放射線変換パネルの回路構成ブロック図である。
【図４】放射線画像撮影システムの構成ブロック図である。
【符号の説明】
【００５１】
２０…放射線画像撮影システム
２２…患者
２４…放射線源
２６…線源制御装置
２８…電子カセッテ
３０…クレードル
３２…携帯情報端末
３４…コンソール
３６…撮影室
３８…操作室
４４…放射線変換パネル
５０…バッテリ
５１、９７、１２２…画像メモリ
５３、９１…カセッテ情報メモリ
５５、９６、１０６、１２４…表示部
８２…ＲＩＳ
８４…ＨＩＳ
９３…患者情報メモリ
９５…情報読み書き処理部
１０１…撮影条件メモリ
【図１】
2009180519.tif 000003
【図２】
2009180519.tif 000004
【図３】
2009180519.tif 000005
【図４】
2009180519.tif 000006